(57)【要約】【課題】  従来の折り畳み式の携帯電話を保持できるホルダーとしては、折り畳み式携帯電話と、該折り畳み式携帯電話を保持するぬいぐるみとに一体感があり、クリップ等を要することなくぬいぐるみの手が携帯電話を保持しているかのようにみせることができるようにすること。【解決手段】  折り畳み式携帯電話の折り畳み部近傍を帯状のホルダー部材で保持できる折り畳み式携帯電話用のぬいぐるみホルダーであって、前記帯状のホルダー部材の両端部をそれぞれ折り返し該両端部をそれぞれ熱融着してループ状部を形成し、該ループ状部内にホルダー部材の巾よりも長尺の短冊部材を配設させ、前記ループ状部より両側に突出した短冊部材の各端部をぬいぐるみのそれぞれの両手部に縫着させ、該ぬいぐるみの胴部とホルダー部材との間に折り畳み式携帯電話の第１の半体の折り畳み部近傍を位置させ、該折り畳み式携帯電話の背面側からぬいぐるみが抱えるように保持する構成にしたことにより、折り畳み式携帯電話と、該折り畳み式携帯電話を保持するぬいぐるみとに一体感があり、クリップ等を要することなくぬいぐるみの手が携帯電話を保持しているかのようにみせることができるようになる。【選択図】図１
0003106447.tif 000002
【実用新案登録請求の範囲】
【請求項１】
折り畳み式携帯電話の折り畳み部近傍を帯状のホルダー部材で保持できる折り畳み式携帯電話用のぬいぐるみホルダーであって、
前記帯状のホルダー部材の両端部をそれぞれ折り返し該両端部をそれぞれ熱融着してループ状部を形成し、
該ループ状部内にホルダー部材の巾よりも長尺の短冊部材を配設させ、
前記ループ状部より両側に突出した短冊部材の各端部をぬいぐるみのそれぞれの両手部に縫着させ、
該ぬいぐるみの胴部とホルダー部材との間に折り畳み式携帯電話の第１の半体の折り畳み部近傍を位置させ、
該折り畳み式携帯電話の背面側からぬいぐるみが抱えるように保持する構成にしたこと
を特徴とする折り畳み式携帯電話用のぬいぐるみホルダー。
【請求項２】
前記ホルダー部材は、
透明または半透明の合成樹脂材で形成したこと
を特徴とする請求項１に記載の折り畳み式携帯電話用のぬいぐるみホルダー。
【請求項３】
前記短冊部材は、
布製であること
を特徴とする請求項１に記載の折り畳み式携帯電話用のぬいぐるみホルダー。
【請求項４】
前記短冊部材は、
両端部を折り返して縫着すること
を特徴とする請求項１または３に記載の折り畳み式携帯電話用のぬいぐるみホルダー。
【考案の詳細な説明】
【技術分野】
【０００１】
本考案は、折り畳み式携帯電話を恰もぬいぐるみの手部が保持しているかのように見える折り畳み式携帯電話用のぬいぐるみホルダーに関するものである。
【背景技術】
【０００２】
従来、キャラクター等のぬいぐるみと、携帯電話とを同時に所持できるものとしては、例えば、保持環を胴周りに備えて収納ケース上への搭載を目的とするマスコット人形と、又、環状の入り口を備えた収納ケースを、着脱ボタンを備えた折りたたみ式の装着帯へ取付ける式とし、肩に吊るす手段と、ズボン等の胴縁部で支持する手段を併用し身体へ保持させ、更に、財布を吊るす方法と、又、電話機附属のストラップへ環を取付け、紐、又はベルト上で移動させる方法の肩掛け式携帯電話機ホルダーがある（特許文献１参照）。
【０００３】
また、折り畳み式携帯電話を保持できるホルダーとしては、例えば、下面に歯を有する上片及び幅方向の両端に一対の支柱を有すると共に上面に、前記歯と対向した歯を有する下片とが後端部で接続して鰐口を形成し、かつ前記上片は上方へ不勢する板バネからなり、また前記一対の支柱の間には、これらの支柱に嵌合されたシャフトに、中央部にスリット孔を有するへの字状の爪片を凸部が前記上片に接するように取付けられているクリップからなり、該クリップが帯状体の両端にそれぞれ固定されている折りたたみ式携帯電話用ホルダーがある（特許文献２参照）。
【０００４】
【特許文献１】特開２００４−１２９８２８号公報
【特許文献２】実用新案登録第３０９９６７１号公報
【考案の開示】
【考案が解決しようとする課題】
【０００５】
しかしながら、前記特許文献１の公知技術においては、マスコット人形と、携帯電話機とにおける一体感が少なく、該携帯電話機を使用する際には、該携帯電話機を単独で手に持って使用するため、その一体感はさらに希薄なものとなるという問題点を有している。
【０００６】
また、前記特許文献２の公知技術においては、折りたたみ式携帯電話を帯状体で保持するものであるが、該帯状体の両端部は、クリップに形成されたスリット孔に通して取り付けたものであり、例えば、特許文献２の折りたたみ式携帯電話用ホルダーを用いてぬいぐるみの手が保持しているかのように見えるようにした場合には、前記クリップでぬいぐるみを挟持して取り付けるようにすることから、該クリップの存在によりぬいぐるみの手が保持している雰囲気とは異なるものになってしまう。
【０００７】
従って、従来の折り畳み式の携帯電話を保持できるホルダーとしては、折り畳み式携帯電話と、該折り畳み式携帯電話を保持するぬいぐるみとに一体感があり、クリップ等を要することなくぬいぐるみの手が携帯電話を保持しているかのようにみせることができるようにするということに解決しなければならない課題を有している。
【課題を解決するための手段】
【０００８】
上記した従来例の課題を解決する具体的な手段として本考案に係る折り畳み式携帯電話用のぬいぐるみホルダーは、折り畳み式携帯電話の折り畳み部近傍を帯状のホルダー部材で保持できる折り畳み式携帯電話用のぬいぐるみホルダーであって、前記帯状のホルダー部材の両端部をそれぞれ折り返し該両端部をそれぞれ熱融着してループ状部を形成し、該ループ状部内にホルダー部材の巾よりも長尺の短冊部材を配設させ、前記ループ状部より両側に突出した短冊部材の各端部をぬいぐるみのそれぞれの両手部に縫着させ、該ぬいぐるみの胴部とホルダー部材との間に折り畳み式携帯電話の第１の半体の折り畳み部近傍を位置させ、該折り畳み式携帯電話の背面側からぬいぐるみが抱えるように保持する構成にしたことを最も主要な特徴とする。
【０００９】
この考案において、前記ホルダー部材は、透明または半透明の合成樹脂材で形成したこと；前記短冊部材は、布製であること；前記短冊部材は、両端部を折り返して縫着すること；を付加的な要件として含むものである。
【考案の効果】
【００１０】
本考案に係る折り畳み式携帯電話用のぬいぐるみホルダーは、折り畳み式携帯電話の折り畳み部近傍を帯状のホルダー部材で保持できる折り畳み式携帯電話用のぬいぐるみホルダーであって、前記帯状のホルダー部材の両端部をそれぞれ折り返し該両端部をそれぞれ熱融着してループ状部を形成し、該ループ状部内にホルダー部材の巾よりも長尺の短冊部材を配設させ、前記ループ状部より両側に突出した短冊部材の各端部をぬいぐるみのそれぞれの両手部に縫着させ、該ぬいぐるみの胴部とホルダー部材との間に折り畳み式携帯電話の第１の半体の折り畳み部近傍を位置させ、該折り畳み式携帯電話の背面側からぬいぐるみが抱えるように保持する構成にしたため、ホルダー部材がクリップ等を要することなくで取り付けられているのではなく、該ホルダー部材が短冊部材の存在により直接的にぬいぐるみの手部に縫着されているため、恰も該ぬいぐるみの手部が折り畳み式携帯電話を保持しているかのように見えて、折り畳み式携帯電話と、該折り畳み式携帯電話を保持するぬいぐるみとが一体感を有するようになるばかりでなく、該折り畳み式携帯電話からぬいぐるみを取り外さなくても、該折り畳み式携帯電話を使用することができるようになるという優れた効果を奏する。
【考案を実施するための最良の形態】
【００１１】
次に、本考案を具体的な実施の形態に基づいて詳しく説明する。
本考案の実施の形態に係る折り畳み式携帯電話用のぬいぐるみホルダーを図１乃至図４を用いて説明する。図１に、折り畳み式携帯電話用のぬいぐるみホルダーの略示的な正面図を示し、図２に、折り畳み式携帯電話用のぬいぐるみホルダーの略示的な側面図を示し、図３に、折り畳み式携帯電話用のぬいぐるみホルダーに保持された折り畳み式携帯電話を開いた状態の略示的な正面図を示してある。
【００１２】
折り畳み式携帯電話用のぬいぐるみホルダー１は、折り畳み式携帯電話２の第１の半体２ａにおける折り畳み部３の近傍をホルダー部材４で保持できる構成になっている。
【００１３】
このホルダー部材４は、例えば、透明または半透明等の合成樹脂材等を用いて形成することが好ましく、該合成樹脂材等を用いて帯状のホルダー部材４を形成し、図４（ａ）に示したように、該帯状のホルダー部材４の端部４ａを折り返し、該折り返した状態で該端部４ａを熱融着させてループ状部４ｂを形成してある。このループ状部４ｂは、ホルダー部材４の両端部において、同様にして形成してある。
【００１４】
ループ状部４ｂ内には、合成樹脂材等からなるホルダー部材４のループ状部４ｂを縫着する際に、該縫着を容易にするために、図４（ｂ）に示したように、ホルダー部材４の巾よりも長尺の短冊部材５を配設させている。この短冊部材５としては、例えば、布等を用いて形成することができる。
【００１５】
また、前記布製の短冊部材５は、その両端部を内側に折り返しておくことが好ましく、このように布製の短冊部材５の両端部を折り返した状態で縫着することにより、前記布製の短冊部材５の両端部における解れを防止することができるのである。
【００１６】
そして、ホルダー部材４のループ状部４ｂ内に短冊部材５を配設させた状態で、該ループ状部４ｂより両側に突出した短冊部材５の各端部をぬいぐるみ６のそれぞれの手部６ａに縫着させて、縫着部７を形成する。
【００１７】
このように、合成樹脂材等からなるホルダー部材４を直接的にぬいぐるみ６のそれぞれの手部６ａに縫着させるのではなく、ホルダー部材４にループ状部４ｂを形成してその内部に布製等の短冊部材５を配設させ、該短冊部材５をぬいぐるみ６の手部６ａに縫着させることにより、例えば、布等の柔らかい素材によって形成されたぬいぐるみであっても、容易且つ確実にループ状部４ｂを縫着させることができるのである。
【００１８】
そして、前述のようにホルダー部材４の端部と、ぬいぐるみ６の手部６ａとの縫着をそれぞれの両手部６ａにおいて同様に施すことにより、該ぬいぐるみ６の手部６ａを介してぬいぐるみ６の胴部６ｂと、ホルダー部材４とで折り畳み式携帯電話２の第１の半体２ａを保持できるループを形成することができるのである。
【００１９】
このように構成された本考案の実施の形態に係る折り畳み式携帯電話用のぬいぐるみホルダー１について、その使用方法を説明すると、折り畳み式携帯電話２の第１の半体２ａと第２の半体２ｂとの間には、これら第１の半体２ａと第２の半体２ｂとを折り畳むことのできる折り畳み部３があり、該折り畳み部３には、例えば、ヒンジ等からなる回転部３ａが設けられており、第１の半体２ａと第２の半体２ｂとを前記折り畳み部３の回転部３ａを介して所定角度まで回転させて、折り畳み状態（図１に示した状態）と、開いた状態（図３に示した状態）とのそれぞれの状態に自在に切り換えられるようになっている。
【００２０】
折り畳み式携帯電話２の第１の半体２ａには、例えば、ジョグボタン８ａ及びナンバーボタン８ｂ等の各種ボタン８が設けられており、また、第２の半体２ｂには、ディスプレイ９が設けられている。
【００２１】
折り畳み式携帯電話２は、例えば、折り畳み式携帯電話２を開いた状態で、第１の半体２ａの下部側から、該第１の半体２ａをぬいぐるみ６の胴部６ｂと、ホルダー部材４との間に挿入させ、該ぬいぐるみ６の胴部６ｂと、ホルダー部材４との間に前記第１の半体２ａの折り畳み部３の近傍を位置させる。
【００２２】
このようにぬいぐるみ６の胴部６ｂと、ホルダー部材４との間に折り畳み式携帯電話２の第１の半体２ａの折り畳み部３近傍を位置させることにより、ぬいぐるみ６の胴部６ｂと、ホルダー部材４とで折り畳み式携帯電話２の背面側からぬいぐるみが抱えるように保持させることができ、該ホルダー部材４がクリップ等を要することなく取り付けられており、該ホルダー部材４が短冊部材５の存在により直接的にぬいぐるみ６の手部６ａに縫着されているため、恰も該ぬいぐるみ６の手部６ａが折り畳み式携帯電話２を保持しているかのように見えて、折り畳み式携帯電話２と、該折り畳み式携帯電話２を保持するぬいぐるみ６とが一体感を有するようになるばかりでなく、該折り畳み式携帯電話２からぬいぐるみ６を取り外さなくても、該折り畳み式携帯電話２を使用する、即ち、各種ボタン８を操作すると共にディスプレイ９を確認する作業ができ、更に、折り畳み式携帯電話２を使用しない場合、即ち、折り畳み式携帯電話２を折り畳み部３で折り畳んだ状態にすることにより、ホルダー部材４が第１の半体２ａと第２の半体２ｂとの間に挟まれるようになるため、ぬいぐるみ６の胴部６ｂと、ホルダー部材４との間で折り畳み式携帯電話２をより一層確実に保持できるようになるのである。
【００２３】
また、ホルダー部材４を透明または半透明等の合成樹脂材等を用いて形成することにより、仮に、該ホルダー部材４が覆ってしまうボタン８ｃがあったとしても、そのホルダー部材４が覆ってしまったボタン８ｃを確認することができるため、各種ボタン８を操作する妨げにはならないのである。
【００２４】
なお、ぬいぐるみ６の一部、例えば、ぬいぐるみ６の頭部６ｃにストラップ１０等を設けても良く、更に、該ストラップ１０に着脱可能なジョイント部材１１を設けた場合には、例えば、鞄等に容易に取り付けることができるようになる。
【図面の簡単な説明】
【００２５】
【図１】本発明の実施の形態に係る折り畳み式携帯電話用のぬいぐるみホルダーを略示的に示した正面図である。
【図２】同折り畳み式携帯電話用のぬいぐるみホルダーを略示的に示した側面図である。
【図３】同折り畳み式携帯電話用のぬいぐるみホルダーに保持された折り畳み式携帯電話を開いた状態を略示的に示した正面図である。
【図４】（ａ）は、同折り畳み式携帯電話用のぬいぐるみホルダーに設けられているホルダー部材４の要部を拡大し略示的に示した斜視図であり、（ｂ）は、ホルダー部材４をぬいぐるみ６の手部６ａに取り付けた状態を略示的に示した斜視図である。
【符号の説明】
【００２６】
１  折り畳み式携帯電話用のぬいぐるみホルダー
２  折り畳み式携帯電話
２ａ  第１の半体
２ｂ  第２の半体
３  折り畳み部
３ａ  折り畳み部の回転部
４  ホルダー部材
４ａ  ホルダー部材の端部
４ｂ  ホルダー部材のループ状部
５  短冊部材
６  ぬいぐるみ
６ａ  ぬいぐるみの手部
６ｂ  ぬいぐるみの胴部
６ｃ  ぬいぐるみの頭部
７  縫着部
８  各種ボタン
９  ディスプレイ
１０  ストラップ
【図１】
0003106447.tif 000003
【図２】
0003106447.tif 000004
【図３】
0003106447.tif 000005
【図４】
0003106447.tif 000006